(57)【要約】      （修正有）【課題】検索エンジンによる検索結果の表示において、ユーザの利便性を向上し、ユーザにとってその時々に有用なＷＥＢサイトに関する情報が得られやすくする。【解決手段】ネットワークに接続されたコンピュータを用いて閲覧可能な複数のＷＥＢサイトの中から所望のＷＥＢサイトを検索するＷＥＢ情報検索システムにおいて、前記所望のＷＥＢサイトの検索を行う検索エンジンと、前記検索エンジンによる検索結果を表示する表示手段と、前記表示手段に表示された前記検索エンジンによる検索結果のＷＥＢサイトのそれぞれに対する操作者によるマーキングを受け付けるマーキング手段と、前記検索エンジンによる検索結果および、前記マーキング手段によるマーキング結果を記憶する記憶手段と、前記記憶手段に記憶してある前記検索結果および前記マーキング結果に基づいて、前記表示手段にマーキングされた検索結果を表示するよう制御する表示制御手段とを備えた。【選択図】図１
2007280020.tif 000002
【特許請求の範囲】
【請求項１】
ネットワークに接続されたコンピュータを用いて閲覧可能な複数のＷＥＢサイトの中から所望のＷＥＢサイトをコンピュータを用いて検索するＷＥＢ情報検索システムにおいて、
前記所望のＷＥＢサイトの検索を行う検索エンジンと、
前記検索エンジンによる検索結果を表示する表示手段と、
前記表示手段に表示された前記検索エンジンによる検索結果のＷＥＢサイトのそれぞれに対する操作者によるマーキングを受け付けるマーキング手段と、
前記検索エンジンによる検索結果および、前記マーキング手段によるマーキング結果を記憶する記憶手段と、
前記記憶手段に記憶してある前記検索結果および前記マーキング結果に基づいて、前記表示手段にマーキングされた検索結果を表示するよう制御する表示制御手段と
を備えたことを特徴とするＷＥＢ情報検索システム。
【請求項２】
前記マーキングが前記検索結果のＷＥＢサイトに対するランキング付けであることを特徴とする請求項１に記載のＷＥＢ情報検索システム。
【請求項３】
ネットワークに接続されたコンピュータを用いて閲覧可能な複数のＷＥＢサイトの中から所望のＷＥＢサイトを検索エンジンにて検索した検索結果を表示するためコンピュータで動作する検索結果表示プログラムにおいて、
コンピュータを、
前記検索エンジンによる検索結果を表示する表示手段として機能させるプログラムと、
前記表示手段に表示された前記検索エンジンによる検索結果のＷＥＢサイトのそれぞれに対する操作者によるマーキングを受け付けるマーキング手段として機能させるプログラムと、
前記検索エンジンによる検索結果および、前記マーキング手段によるマーキング結果を記憶する記憶手段として機能させるプログラムと、
前記記憶手段に記憶してある前記検索結果および前記マーキング結果に基づいて、前記表示手段にマーキングされた検索結果を表示するよう制御する表示制御手段として機能させるプログラムと
を備えたことを特徴とする検索結果表示プログラム。
【請求項４】
前記マーキングが前記検索結果のＷＥＢサイトに対するランキング付けであることを特徴とする請求項３に記載の検索結果表示プログラム。
【発明の詳細な説明】
【技術分野】
【０００１】
本発明はＷＥＢ情報検索システムに関し、詳しくは、ＷＥＢサイト情報を検索する際の利便性を向上したＷＥＢ情報検索システムに関する。
【背景技術】
【０００２】
インターネットやイントラネットでは、ＷＷＷ（Ｗｏｒｌｄ  Ｗｉｄｅ  Ｗｅｂ）と呼ばれるドキュメントシステムが用いられており、ＨＴＭＬやＸＭＬ等の言語で文章やその論理構造や外観を記述し、文書中に画像や音声など文字以外のデータや、他の文書の位置などを埋め込んだＷＥＢサイトどうしを接続した、世界規模の巨大なＷＷＷが築かれている。
【０００３】
一般に検索エンジンと呼ばれるシステムによれば、ＷＷＷ内の膨大なＷＥＢサイトの中から所望のものを検索することができ、たとえば入力したキーワードを含むＷＥＢサイトを検索することができる。
【０００４】
このような検索エンジンによって検索した結果として見つけ出されるＷＥＢサイトの数は、検索条件にもよるが、かなりの数になることが多く、操作者がその検索結果を参照するにあたっては見易く整理されていることが望ましい。
【０００５】
このような状況にかんがみ、特許文献１に記載のＷＥＢ情報検索装置では、検索エンジンによる検索結果をユーザがあらかじめ登録したブックマークによってフィルタリングやランキング付けして表示することによって、ユーザにとって有用な情報に絞り込み、利便性を向上しようとしている。
【０００６】
【特許文献１】特開２００２−３５１９１６号公報
【発明の開示】
【発明が解決しようとする課題】
【０００７】
ところで、上述の特許文献１に記載のＷＥＢ情報検索装置では、以下のような問題があった。
【０００８】
すなわち、特許文献１に記載のＷＥＢ情報検索装置では、あらかじめ登録したブックマークによって検索結果をフィルタリングやランキング付けしてしまうので、ブックマークの設定の仕方によっては、ユーザが真に所望するＷＥＢサイトがフィルタリングによって除外されてしまったりしてしまうし、検索エンジンによって検索するその時々で違う条件で検索する場合、その時々ごとにブックマークを変更する手間がかかるという問題があった。
【０００９】
本発明は上記の点にかんがみてなされたもので、検索エンジンによる検索結果の表示において、ユーザの利便性を向上し、ユーザにとってその時々に有用なＷＥＢサイトに関する情報が得られやすくするＷＥＢ情報検索システムを提供することを目的とする。
【課題を解決するための手段】
【００１０】
本発明は上記の目的を達成するために、ネットワークに接続されたコンピュータを用いて閲覧可能な複数のＷＥＢサイトの中から所望のＷＥＢサイトをコンピュータを用いて検索するＷＥＢ情報検索システムにおいて、前記所望のＷＥＢサイトの検索を行う検索エンジンと、前記検索エンジンによる検索結果を表示する表示手段と、前記表示手段に表示された前記検索エンジンによる検索結果のＷＥＢサイトのそれぞれに対する操作者によるマーキングを受け付けるマーキング手段と、前記検索エンジンによる検索結果および、前記マーキング手段によるマーキング結果を記憶する記憶手段と、前記記憶手段に記憶してある前記検索結果および前記マーキング結果に基づいて、前記表示手段にマーキングされた検索結果を表示するよう制御する表示制御手段とを備えたことを特徴とする。
【００１１】
また本発明は、請求項１に記載の発明において、前記マーキングが前記検索結果のＷＥＢサイトに対するランキング付けであることを特徴とする。
【００１２】
また本発明は、ネットワークに接続されたコンピュータを用いて閲覧可能な複数のＷＥＢサイトの中から所望のＷＥＢサイトを検索エンジンにて検索した検索結果を表示するためコンピュータで動作する検索結果表示プログラムにおいて、コンピュータを、前記検索エンジンによる検索結果を表示する表示手段として機能させるプログラムと、前記表示手段に表示された前記検索エンジンによる検索結果のＷＥＢサイトのそれぞれに対する操作者によるマーキングを受け付けるマーキング手段として機能させるプログラムと、前記検索エンジンによる検索結果および、前記マーキング手段によるマーキング結果を記憶する記憶手段として機能させるプログラムと、前記記憶手段に記憶してある前記検索結果および前記マーキング結果に基づいて、前記表示手段にマーキングされた検索結果を表示するよう制御する表示制御手段として機能させるプログラムとを備えたことを特徴とする。
【００１３】
また本発明は、請求項３に記載の発明において、前記マーキングが前記検索結果のＷＥＢサイトに対するランキング付けであることを特徴とする。
【発明の効果】
【００１４】
本発明によれば、検索エンジンによる検索結果の表示において、ユーザの利便性を向上し、ユーザにとってその時々に有用なＷＥＢサイトに関する情報が得られやすくするＷＥＢ情報検索システムを提供することができる。
【発明を実施するための最良の形態】
【００１５】
以下、本発明による実施の形態について図面を参照して説明する。
【００１６】
図１は、本発明によるＷＥＢ情報検索システムの一実施の形態のハードウェア構成を示すブロック図である。
【００１７】
図１に示すように、本実施の形態のＷＥＢ情報検索システムは、インターネットやイントラネットからなるネットワーク５に接続された、ＷＥＢ情報検索端末装置であるパソコン１と、検索エンジンを提供するサーバーコンピュータ２と、ＷＥＢサイトの閲覧を提供するサーバーコンピュータ３と、同様にＷＥＢサイトの閲覧を提供するサーバーコンピュータ４とを有して構成される。
【００１８】
図２は、図１に示したパソコン１の内部構成の一例を示すブロック図である。
【００１９】
パソコン１は、図１に示したネットワーク５とのインタフェースであるネットワーク接続手段１１と、パソコン１全体の動作を制御し、ＷＥＢサイトの閲覧を行うブラウザ等のアプリケーションプログラムを実行する制御手段１２と、パソコン１の動作に必要なパラメータおよびアプリケーションプログラム等を記憶する記憶手段１３と、パソコン１の操作者がパソコン１に対する操作、指示等を入力するマウスやキーボード等の入力手段１４と、パソコン１の操作者に対して様々な情報を表示するディスプレイ等の表示手段１５とを有して構成される。
【００２０】
次に、本実施の形態のＷＥＢ情報検索システムの動作について説明する。
【００２１】
図３は、図１に示したＷＥＢ情報検索システムの動作を示すフローチャートである。
【００２２】
本実施の形態のＷＥＢ情報検索システムを使用する操作者は、パソコン１の入力手段１４を操作してブラウザの起動指示を入力する。このブラウザの起動指示を受け付けた制御手段１２では、記憶手段１３にあらかじめ記憶してパソコン１にインストールしてあるブラウザの起動を実行し（Ａ−１）、ブラウザの操作画面を表示手段１５に表示する。
【００２３】
続いて操作者は、パソコン１の入力手段１４を操作して、ブラウザによって検索エンジンに接続するよう入力する。この入力を受け付けた制御手段１２では、ネットワーク接続手段１１を用いて、検索エンジンを提供するサーバーコンピュータ２とネットワーク５を介して通信し（Ａ−２）（他のサーバーコンピュータが仲介する場合も当然にある）、検索エンジンに対する入力を行うための画面の情報（たとえばＨＴＭＬ）を受信する。さらに制御手段１２はこの受信した入力画面情報に基づいた表示を表示手段１５のブラウザ画面にて行う。
【００２４】
操作者はステップ（Ａ−２）で表示手段１５に表示された検索エンジンに対する入力画面に、入力手段１４を操作してキーワードを入力することによって、そのキーワードを含むＷＥＢサイトを探すよう指示する。この指示を受け付けた制御手段１２では、入力手段１４から入力されたキーワードを、ネットワーク接続手段１１を用いて、サーバーコンピュータ２の検索エンジンに対してネットワーク５を介して送信し、そのキーワードを含むＷＥＢサイトの検索を依頼する。
【００２５】
これを受けたサーバーコンピュータ２の検索エンジンでは、ネットワーク５に接続された各サーバーコンピュータ３や４において公開されたＷＥＢサイトの中で、受信したキーワードを含むものを検索し（Ａ−３）、検索結果（たとえばキーワードを含むＷＥＢサイトのＵＲＬ（Ｕｎｉｆｏｒｍ  Ｒｅｓｏｕｒｃｅ  Ｌｏｃａｔｏｒ）の一覧）をパソコン１に対して送信する。
【００２６】
サーバーコンピュータ２の検索エンジンからネットワーク５を介して検索結果を受信したならば、その検索結果を表示手段１５のブラウザ画面に表示する（Ａ−４）とともに、その検索結果を記憶手段１３に記憶する（Ａ−５）。この記憶には従来からよく知られたＣｏｏｋｉｅ（クッキー）の技術を利用することもできる。
【００２７】
ステップ（Ａ−４）にて検索結果を表示した表示手段１５のブラウザ画面の一例を図４に示す。
【００２８】
図４のブラウザ画面１５１では、サーバーコンピュータ２の検索エンジンからの検索結果をそのまま表示し、操作者に提示する。
【００２９】
操作者は、このブラウザ画面を参照し、入力手段１４を操作して興味のあるＷＥＢサイトへのリンクをマウスクリックするなどして、そのＷＥＢサイトの閲覧指示を入力する。この入力を受け付けた制御手段１２では、ネットワーク接続手段１１を用いて、閲覧指示が入力されたＷＥＢサイトのＵＲＬに基づき、そのＷＥＢサイトを提供するサーバーコンピュータと通信し（他のサーバーコンピュータが仲介する場合も当然にある）、そのＷＥＢサイトの表示画面の情報（たとえばＨＴＭＬ）を受信する。さらに制御手段１２はこの受信した表示画面情報に基づいた表示を表示手段１５のブラウザ画面にて行う（Ａ−６）。
【００３０】
続いて操作者が、先の検索結果にあった他のＷＥＢサイトも閲覧したい場合は、表示手段１５のブラウザ画面にて、入力手段１４を操作してその旨の入力（たとえば図示しない「戻るボタン」の選択）を行う。この入力を受け付けた制御手段１２では、ステップ（Ａ−５）で記憶手段１３に記憶した検索結果を読み出し、この読み出した検索結果にランキング付け欄（後に図５に示す）を加えて表示手段１５のブラウザ画面に表示する（Ａ−７）。
【００３１】
ステップ（Ａ−７）にて検索結果を表示した表示手段１５のブラウザ画面の一例を図５に示す。
【００３２】
図５のブラウザ画面１５２では、サーバーコンピュータ２の検索エンジンからの検索結果に対してランキング付け欄１５３を追加した状態で表示する。
【００３３】
ランキング付け欄１５３は、検索結果のＷＥＢサイトごとに、Ａランキング入力チェックボックス１５４、Ｂランキング入力チェックボックス１５５、Ｃランキング入力チェックボックス１５６が設けられ、操作者がそれぞれのＷＥＢサイトに対してランキング付けを行うことができるようにしてある。
【００３４】
図５のブラウザ画面１５２にて、操作者は、入力手段１４を操作して、ランキング付けしたいＷＥＢサイトのランキング付け欄１５３の該当ランキングのチェックボックスにチェックを入れ、図示しないランキング登録ボタンを選択することによって検索結果にランキング付けをする（Ａ−８）。
【００３５】
なお、本実施の形態では、ステップ（Ａ−４）では図４に示したようにランキング付け欄１５３がないブラウザ画面１５１を表示するようにしたが、ステップ（Ａ−４）でもランキング付け欄１５３を加えたブラウザ画面１５２を表示するようにしてもよい。
【００３６】
ステップ（Ａ−８）の入力結果を受け付けた制御手段１２では、検索結果の各ＷＥＢサイトと操作者が入力したランキングとを対応付けて記憶手段１３に記憶する（Ａ−９）。この記憶には従来からよく知られたＣｏｏｋｉｅ（クッキー）の技術を利用することもできる。
【００３７】
続いて操作者が、ランキング付けした検索結果を参照したい場合には、表示手段１５のブラウザ画面にて、入力手段１４を操作してその旨の入力（たとえば図示しない「ランキング表示ボタン」の選択）を行う。この入力を受け付けた制御手段１２では、ステップ（Ａ−５）で記憶手段１３に記憶した検索結果およびステップ（Ａ−９）で記憶手段１３に記憶したランキングを読み出し、この読み出した検索結果およびランキングに基づいて、検索結果にランキングを付加した状態で表示手段１５のブラウザ画面に表示する（Ａ−１０）。
【００３８】
このステップ（Ａ−１０）の表示においては、操作者による入力手段１４の操作に応じてまたは自動的に、ランキングＡ、Ｂ、Ｃ、ランキングなしの順に上から並べ直して検索結果の各ＷＥＢサイトへのリンクを表示してもよいし、ランキングＡ、Ｂ、Ｃのいずれかを付けたＷＥＢサイトのみを抽出して表示してもよいし、ある特定のランキングのＷＥＢサイトのみを抽出して表示してもよい。
【００３９】
従来、操作者が検索エンジンで検索を実行した結果として大量のＷＥＢサイトが見つけ出されて、各ＷＥＢサイトを順に閲覧しているうちに「先ほど閲覧したＷＥＢサイトが有用であったが、それがどのＷＥＢサイトであったか失念してしまった」ということがあるが、本実施の形態によれば、自分にとって有用なＷＥＢサイトがどれであるかをブラウザ画面でメモのようにランキング付けしておくことによって、後からそれを整理して表示することができ、自分にとって有用なＷＥＢサイトを容易に管理することができる。
【００４０】
なお、上述の実施の形態では、各ＷＥＢサイトにランキング付けするようにしたが、本発明はこれに限られるものではなく、各ＷＥＢサイトに何らかのマーキングを施し、後に、マーキングしたＷＥＢサイトのみを抽出して表示するようにしてもよい。
【００４１】
また、上述の本発明の機能を実現するにあたっては、
ａ．既存の検索エンジンを改修して、既存の技術であるブラウザを使用（クッキー機能）して実装するパターン
ｂ．既存の検索エンジンはそのままで、クライアント（パソコン）に新規アプリケーション（本発明の検索専用ブラウザプログラム）にて実装するパターン
ｃ．既存の検索エンジンを改修し且つ、クライアント（パソコン）に新規アプリケーション（本発明の検索専用ブラウザプログラム）にて実装するパターン
のいずれを用いてもかまわない。
【００４２】
また、上述の実施の形態では、ランキング付けにおいてＡ、Ｂ、Ｃの３つのランクのいずれかを付与可能としたが、本発明はこれに限られるものではなく、たとえば５つのランクのいずれかを付与可能としたり、コンボボックス（操作画面で、項目の入力や選択に使われる機能であり、文字入力のための矩形領域(テキストボックス)と項目選択リスト(リストボックス)を組み合わせたものである。テキストボックスに直接文字を入力することができるほかに、テキストボックスの右端のボタンを押すと選択可能な項目の一覧が表示され、その中のいずれかを選ぶことができる。）などを用いて、検索結果の各ＷＥＢサイトに対して様々なマークの付与、メモなど何らかのマーキングを行うことができるようにし、これによって検索結果の各ＷＥＢサイトの識別や抽出等をすることも可能である。
【図面の簡単な説明】
【００４３】
【図１】本発明によるＷＥＢ情報検索システムの一実施の形態のハードウェア構成を示すブロック図である。
【図２】図１に示したパソコン１の内部構成の一例を示すブロック図である。
【図３】図１に示したＷＥＢ情報検索システムの動作を示すフローチャートである。
【図４】図３のステップ（Ａ−４）にて検索結果を表示した表示手段１５のブラウザ画面の一例を示す図である。
【図５】図３のステップ（Ａ−７）にて検索結果を表示した表示手段１５のブラウザ画面の一例を示す図である。
【符号の説明】
【００４４】
１  パソコン
２、３、４  サーバーコンピュータ
５  ネットワーク
１１  ネットワーク接続手段
１２  制御手段
１３  記憶手段
１４  入力手段
１５  表示手段
１５１、１５２  ブラウザ画面
１５３  ランキング付け欄
１５４  Ａランキング入力チェックボックス
１５５  Ｂランキング入力チェックボックス
１５６  Ｃランキング入力チェックボックス
【図１】
2007280020.tif 000003
【図２】
2007280020.tif 000004
【図３】
2007280020.tif 000005
【図４】
2007280020.tif 000006
【図５】
2007280020.tif 000007